【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
発光部と受光部とを有し、シート搬送路を搬送されるシートのシート幅方向における端部の位置を検知するセンサユニットと、
シート搬送路を通過中のシートの両面側からシート幅方向の端部を挟み込むように対向配置された前記センサユニットの前記発光部を保持する第１保持面及び前記センサユニットの前記受光部を保持する第２保持面を有し、シート幅方向に往復移動可能な移動ホルダと、
前記移動ホルダをシート幅方向に駆動するホルダ駆動部と、を備え、
前記センサユニットは、前記第１保持面に保持される前記発光部及び前記第２保持面に保持される前記受光部を一対とするセンサ対を、シート幅方向に並ぶように複数有し、複数のセンサ対を１つ置きにオンした状態で、前記ホルダ駆動部が前記移動ホルダをシート幅方向に移動させながら、シートの端部位置を前記センサユニットが検知する、
ことを特徴とする位置検知装置。
【請求項２】
複数の前記センサ対は、幅方向におけるサイズの異なる複数種類のシートに対応させた複数の基準位置上にそれぞれ位置するように前記移動ホルダに配置され、
前記ホルダ駆動部が、予め設定された所定量、前記移動ホルダをシート幅方向に往復移動させながら、通過中のシートの端部位置を前記センサユニットが検知する、
ことを特徴とする請求項１に記載の位置検知装置。
【請求項３】
シート搬送路を通過中のシートの種類を検知する検知部を備え、
前記検知部によって検知されたシートの種類に応じて前記複数のセンサ対でオンされるセンサ対が決定される、
ことを特徴とする請求項１又は２に記載の位置検知装置。
【請求項４】
発光部と受光部とを有し、シート搬送路を搬送されるシートのシート幅方向における端部の位置を検知するセンサユニットと、
シート搬送路を通過中のシートの両面側からシート幅方向の端部を挟み込むように対向配置された前記センサユニットの前記発光部を保持する第１保持面及び前記センサユニットの前記受光部を保持する第２保持面を有し、シート幅方向に往復移動可能な移動ホルダと、
前記移動ホルダをシート幅方向に駆動するホルダ駆動部と、を備え、
前記センサユニットは、前記第１保持面に保持される前記発光部及び前記第２保持面に保持される前記受光部を一対とするセンサ対を、シート幅方向に並ぶように複数有し、判別されたシートの種類におけるシート幅方向の端部位置に対応するセンサ対をオンし、その他のセンサ対のうち、少なくともオンした前記センサ対の隣のセンサ対をオフする、
ことを特徴とする位置検知装置。
【請求項５】
複数の前記センサ対は、幅方向におけるサイズの異なる複数種類のシートに対応させた複数の基準位置上にそれぞれ位置するように前記移動ホルダに配置され、
前記ホルダ駆動部が、予め設定された所定量、前記移動ホルダをシート幅方向に往復移動させながら、通過中のシートの端部位置を前記センサユニットが検知する、
ことを特徴とする請求項４に記載の位置検知装置。
【請求項６】
シート搬送路を通過中のシートの種類を検知する検知部を備える、
ことを特徴とする請求項４又は５に記載の位置検知装置。
【請求項７】
請求項１から６のいずれか１項に記載の位置検知装置と、
該位置検知装置で検知したシートのシート幅方向の端部位置に応じて画像形成位置を補正して、シートに画像を形成する画像形成部と、を備えた、
ことを特徴とする画像形成装置。
【請求項８】
前記画像形成部で画像が形成された後に表裏が反転されたシートを、前記画像形成部に向けて再搬送する反転搬送路を備え、
前記位置検知装置は、前記反転搬送路に配設される、
ことを特徴とする請求項７に記載の画像形成装置。
【請求項９】
前記センサ対をオンした状態とは、前記発光部としてのＬＥＤ素子を点灯させた状態である、
ことを特徴とする請求項１又は４に記載の位置検知装置。
【手続補正２】
【補正対象書類名】明細書
【補正対象項目名】００１３
【補正方法】変更
【補正の内容】
【００１３】
本発明は、発光部と受光部とを有し、シート搬送路を搬送されるシートのシート幅方向における端部の位置を検知するセンサユニットと、シート搬送路を通過中のシートの両面側からシート幅方向の端部を挟み込むように対向配置された前記センサユニットの前記発光部を保持する第１保持面及び前記センサユニットの前記受光部を保持する第２保持面を有し、シート幅方向に往復移動可能な移動ホルダと、前記移動ホルダをシート幅方向に駆動するホルダ駆動部と、を備え、前記センサユニットは、前記第１保持面に保持される前記発光部及び前記第２保持面に保持される前記受光部を一対とするセンサ対を、シート幅方向に並ぶように複数有し、複数のセンサ対を１つ置きにオンした状態で、前記ホルダ駆動部が前記移動ホルダをシート幅方向に移動させながら、シートの端部位置を前記センサユニットが検知する、ことを特徴とする。
【手続補正３】
【補正対象書類名】明細書
【補正対象項目名】００１４
【補正方法】変更
【補正の内容】
【００１４】
また、本発明は、発光部と受光部とを有し、シート搬送路を搬送されるシートのシート幅方向における端部の位置を検知するセンサユニットと、シート搬送路を通過中のシートの両面側からシート幅方向の端部を挟み込むように対向配置された前記センサユニットの前記発光部を保持する第１保持面及び前記センサユニットの前記受光部を保持する第２保持面を有し、シート幅方向に往復移動可能な移動ホルダと、前記移動ホルダをシート幅方向に駆動するホルダ駆動部と、を備え、前記センサユニットは、前記第１保持面に保持される前記発光部及び前記第２保持面に保持される前記受光部を一対とするセンサ対を、シート幅方向に並ぶように複数有し、判別されたシートの種類におけるシート幅方向の端部位置に対応するセンサ対をオンし、その他のセンサ対のうち、少なくともオンした前記センサ対の隣のセンサ対をオフする、ことを特徴とする。
【手続補正４】
【補正対象書類名】明細書
【補正対象項目名】００２９
【補正方法】変更
【補正の内容】
【００２９】
図２及び図３に示すように、シート端部検知部８は、シート幅方向Ｙに往復移動可能な移動ホルダ８１と、移動ホルダ８１を往復移動させるホルダ駆動部としての駆動ユニット８２と、一対の搬送ガイド８３，８４と、を備えて構成されている。また、シート端部検知部８は、シート幅方向Ｙに並んで配設され、シートの有無を検知する第１〜第４センサ対８５，８６，８７，８８と、反転搬送路１１を通過中のシートの種類を検知する検知部９１と、を備えて構成されている。なお、移動ホルダ８１及び第１〜第４センサ対８５〜８８は、センサユニット８０を構成し、センサユニット８０は、シート幅方向Ｙに移動することでシート幅方向Ｙにシートの有無を走査して、シート幅方向Ｙの端部位置を検知する。
【手続補正５】
【補正対象書類名】明細書
【補正対象項目名】００３８
【補正方法】変更
【補正の内容】
【００３８】
次に、シート端部検知部８を制御するセンサユニットを構成する端部検知制御部９０について、図４を参照しながら説明する。図４は、シート端部検知部８を制御する端部検知制御部９０を示すブロック図である。
【手続補正６】
【補正対象書類名】明細書
【補正対象項目名】００５１
【補正方法】変更
【補正の内容】
【００５１】
また、第１実施形態に係るシート端部検知部８は、移動ホルダ８１に第１〜第４センサ対８５〜８８を保持して一体的に移動させるため、各センサ対を個別に移動させる場合に必要となる複数の電気回路や配線のためのスペースの確保も不要となる。これにより、コストを抑えることができると共に、装置の大型化を防止することができる。
【手続補正７】
【補正対象書類名】明細書
【補正対象項目名】００６４
【補正方法】変更
【補正の内容】
【００６４】
１    レーザビームプリンタ（画像形成装置）
３    画像形成部
７    反転搬送部
８    シート端部検知部（位置検知装置）
１１    反転搬送路
８０    センサユニット
８１    移動ホルダ
８１ａ    上面（第１保持面）
８１ｂ    下面（第２保持面）
８２    駆動ユニット（ホルダ駆動部）
８５    第１センサ対（センサ対）
８５ａ    第１ＬＥＤ素子（発光部）
８５ｂ    第１受光素子（受光部）
８６    第２センサ対（センサ対）
８６ａ    第２ＬＥＤ素子（発光部）
８６ｂ    第２受光素子（受光部）
８７    第３センサ対（センサ対）
８７ａ    第３ＬＥＤ素子（発光素子）
８７ｂ    第３受光素子（受光素子）
８８    第４センサ対（センサ対）
８８ａ    第４ＬＥＤ素子（発光素子）
８８ｂ    第４受光素子（受光素子）
８９ａ，８９ｂ，８９ｃ，８９ｄ    破線（基準位置）
９０    端部検知制御部（センサユニット）
９１    検知部
Ｓ，Ｓ１，Ｓ２，Ｓ３，Ｓ４    シート